(57)【要約】【課題】不要なデータをファクシミリ装置へ送信することを防止することができる。【解決手段】ゲートウェイ装置２０は、通信用データとしてのＴ．３８データをインターネット１６を介して通信Ｉ／Ｆ３４が受信したときには、この受信したＴ．３８データから画像ファイルとしてのＴ．３０データをＴ．３０データ変換部３６が生成すると共に、この生成したＴ．３０データからＴ．３８データをＴ．３８データ変換部２６が生成し、この生成したＴ．３８データをパケット単位でＬＡＮ１２を介してＦＡＸ装置４０へ送信する。このように、一旦Ｔ．３８データをＴ．３０データに変換したのち、更にＴ．３８データに変換し、この変換したＴ．３８データをファクシミリ装置へ送信するため、不必要なデータがゲートウェイ装置２０により除かれるのである。【選択図】図１
2008288929.tif 000002
【特許請求の範囲】
【請求項１】
パケットにより送信先とのデータのやり取りを実行するリアルタイム通信方式のファクシミリ装置とデータのやり取りを行うゲートウェイ装置であって、
データを受信する受信手段と、
前記ファクシミリ装置へデータを送信する送信手段と、
画像データであるファクシミリデータを含み前記リアルタイム通信方式で用いる通信用データから該通信用データに含まれるファクシミリデータを生成する第１データ生成手段と、
画像データであるファクシミリデータから前記通信用データを生成する第２データ生成手段と、
前記受信手段が前記通信用データを受信したときには、前記第１データ生成手段に該受信した通信用データから前記ファクシミリデータを生成させると共に、前記第２データ生成手段に該生成したファクシミリデータから前記通信用データを生成させ、該生成した通信用データをパケット単位でファクシミリ装置へ前記送信手段に送信させる制御手段と、
を備えたゲートウェイ装置。
【請求項２】
前記受信手段は、ネットワークとしてのインターネットを介してデータを受信する手段である、請求項１に記載のゲートウェイ装置。
【請求項３】
請求項２に記載のゲートウェイ装置であって、
前記ファクシミリ装置から前記通信用データを取得する取得手段と、
前記インターネットを介して送信先へ通信用データを出力する出力手段と、を備え、
前記制御手段は、前記取得手段が前記通信用データを取得したときには、該取得した通信用データを前記第１及び第２データ生成手段を介さずに前記送信先へ前記出力手段に出力させる、ゲートウェイ装置。
【請求項４】
前記通信用データは、Ｔ．３８方式のデジタルデータであり、
前記ファクシミリデータは、Ｔ．３０方式のデジタルデータである、
請求項１〜３のいずれかに記載のゲートウェイ装置。
【請求項５】
パケットにより送信先とのデータのやり取りを実行するリアルタイム通信方式のファクシミリ装置とデータのやり取りを行うゲートウェイ装置の制御方法であって、
（ａ）画像データであるファクシミリデータを含み前記リアルタイム通信方式で用いる通信用データを受信したときには、該受信した通信用データから前記ファクシミリデータを生成するステップと、
（ｂ）前記ステップ（ａ）で生成したファクシミリデータから前記通信用データを生成するステップと、
（ｃ）前記ステップ（ｂ）で生成した通信用データをパケット単位で前記ファクシミリ装置へ送信するステップと、
を含むゲートウェイ装置の制御方法。
【発明の詳細な説明】
【技術分野】
【０００１】
本発明は、ゲートウェイ装置及びその制御方法に関する。
【背景技術】
【０００２】
従来、ファクシミリ装置として、公衆網を経由して発呼し、通信相手の端末とのＦＡＸプロトコル実行中に通信相手の情報を取得し、通信相手がＴ．３８方式によるＩＰ−ＦＡＸ受信能力があるときには、このＴ．３８方式によるＦＡＸデータ送受信を実行するものが提案されている（例えば、特許文献１参照）。
【特許文献１】特開２００４−２８２４６８号公報
【発明の開示】
【発明が解決しようとする課題】
【０００３】
ところで、ファクシミリ装置によっては、Ｔ．３８方式のＦＡＸデータ送受信を実行することができないものもあり、このようなファクシミリ装置においては、外部のＴ．３８方式に対応するファクシミリ装置と通信するために、データ変換を行うゲートウェイ装置を介在させることがある。このようなゲートウェイ装置では、通信相手から送られてくる情報をそのまま受けてファクシミリ装置へ送信してしまうため、通信相手から送られてきたＴ．３８方式のデータに不必要なデータが含まれているときであっても、そのまま、ファクシミリ装置が受信していた。ファクシミリ装置とゲートウェイ装置とは、例えばＬＡＮなどを介して接続されることがあり、このような不要なデータがファクシミリ装置へ送信されてしまうのは例えばセキュリティも含めて好ましいことではなかった。
【０００４】
本発明は、このような課題に鑑みなされたものであり、不要なデータをファクシミリ装置へ送信することを防止することができるゲートウェイ装置及びその制御方法を提供することを目的とする。また、ファクシミリ装置側のセキュリティを高めることができるゲートウェイ装置及びその制御方法を提供することを目的とする。
【課題を解決するための手段】
【０００５】
本発明は、上述の目的を達成するために以下の手段を採った。
【０００６】
本発明のゲートウェイ装置は、
パケットにより送信先とのデータのやり取りを実行するリアルタイム通信方式のファクシミリ装置とデータのやり取りを行うゲートウェイ装置であって、
データを受信する受信手段と、
前記ファクシミリ装置へデータを送信する送信手段と、
画像データであるファクシミリデータを含み前記リアルタイム通信方式で用いる通信用データから該通信用データに含まれるファクシミリデータを生成する第１データ生成手段と、
画像データであるファクシミリデータから前記通信用データを生成する第２データ生成手段と、
前記受信手段が前記通信用データを受信したときには、前記第１データ生成手段に該受信した通信用データから前記ファクシミリデータを生成させると共に、前記第２データ生成手段に該生成したファクシミリデータから前記通信用データを生成させ、該生成した通信用データをパケット単位でファクシミリ装置へ前記送信手段に送信させる制御手段と、
を備えたものである。
【０００７】
このゲートウェイ装置では、通信用データを受信したときには、この受信した通信用データからファクシミリデータを生成すると共に、この生成したファクシミリデータから通信用データを生成し、この生成した通信用データをパケット単位でファクシミリ装置へ送信する。このように、一旦通信用データをファクシミリデータに変換したのち、更に通信用データに変換し、この変換した通信用データをファクシミリ装置へ送信するのである。したがって、不要なデータをファクシミリ装置へ送信することを防止することができる。このため、ファクシミリ装置側のセキュリティを高めることができる。
【０００８】
本発明のゲートウェイ装置において、前記受信手段は、ネットワークとしてのインターネットを介してデータを受信するものとしてもよい。こうすれば、インターネットを介してデータを受信する際に、不要なデータをファクシミリ装置へ送信することを防止することができる。このとき、本発明のゲートウェイ装置は、前記ファクシミリ装置から前記通信用データを取得する取得手段と、前記インターネットを介して送信先へ通信用データを出力する出力手段と、を備え、前記制御手段は、前記取得手段が前記通信用データを取得したときには、該取得した通信用データを前記第１及び第２データ生成手段を介さずに前記送信先へ前記出力手段に出力させるものとしてもよい。こうすれば、ファクシミリ装置からインターネットを介して通信用データを送信先へ出力する際には、データの生成などを行わないため、より迅速にファクシミリデータを送信先へ出力することができる。
【０００９】
本発明のゲートウェイ装置において、前記通信用データは、Ｔ．３８方式のデジタルデータであり、前記ファクシミリデータは、Ｔ．３０方式のデジタルデータであるものとしてもよい。Ｔ．３８方式のデジタルデータは、パケットにより送信先とのデータのやり取りを実行するリアルタイム通信方式として多く利用されており、Ｔ．３０方式のデジタルデータは、ファクシミリデータとして多く利用されているため、これらを本発明に適用する意義が高い。
【００１０】
本発明のゲートウェイ装置の制御方法は、
パケットにより送信先とのデータのやり取りを実行するリアルタイム通信方式のファクシミリ装置とデータのやり取りを行うゲートウェイ装置の制御方法であって、
（ａ）画像データであるファクシミリデータを含み前記リアルタイム通信方式で用いる通信用データを受信したときには、該受信した通信用データから前記ファクシミリデータを生成するステップと、
（ｂ）前記ステップ（ａ）で生成したファクシミリデータから前記通信用データを生成するステップと、
（ｃ）前記ステップ（ｂ）で生成した通信用データをパケット単位で前記ファクシミリ装置へ送信するステップと、
を含むものである。
【００１１】
このゲートウェイ装置では、通信用データを受信したときには、この受信した通信用データからファクシミリデータを生成すると共に、この生成したファクシミリデータから通信用データを生成し、この生成した通信用データをパケット単位でファクシミリ装置へ送信する。このように、一旦通信用データをファクシミリデータに変換したのち、更に通信用データに変換し、この変換した通信用データをファクシミリ装置へ送信するのである。したがって、不要なデータをファクシミリ装置へ送信することを防止することができる。ひいては、ファクシミリ装置側のセキュリティを高めることができる。このゲートウェイ装置の制御方法において、上述したゲートウェイ装置の種々の態様を採用してもよいし、また、上述したゲートウェイ装置の各機能を実現するようなステップを追加してもよい。
【発明を実施するための最良の形態】
【００１２】
次に、本発明を実施するための最良の形態を図面を用いて説明する。図１は、本発明の一実施形態であるＦＡＸシステム１０の構成の概略を示す構成図である。本実施例のＦＡＸシステム１０は、一端がＬＡＮ１２に接続され他端がインターネット１６に接続されたゲートウェイ装置２０と、ＬＡＮ１２に接続されたＦＡＸ装置４０と、インターネット１６に接続されＦＡＸの送信先を管理する情報管理装置としてのＳＩＰ（Ｓｅｓｓｉｏｎ  Ｉｎｉｔｉａｔｉｏｎ  Ｐｒｏｔｏｃｏｌ）サーバ５０と、インターネット１６に接続されたＦＡＸ装置６０と、によって構成されている。このＬＡＮ１２には、ユーザパソコン（ＰＣ）４８や図示しないユーザＰＣ，プリンタ４９や図示しない他のプリンタなどが接続されている。
【００１３】
ゲートウェイ装置２０は、ＬＡＮ１２に接続されている機器と外部であるインターネット１６とを接続する装置として構成されており、各種制御を実行するＣＰＵ２２と、各種処理プログラムを記憶したＲＯＭ２３と、データを一時的に記憶するＲＡＭ２４と、ＬＡＮ１２側と接続可能なＬＡＮ−インタフェース（Ｉ／Ｆ）２５と、ＩＴＵ−Ｔ勧告のＦＡＸデータであるＴ．３０方式のデジタルデータ（以下Ｔ．３０データという）からＩＴＵ−Ｔ勧告のＴ．３８通信方式のデジタルデータ（以下Ｔ．３８データという）を生成するＴ．３８データ変換部２６と、呼制御用のＳＩＰパケットを生成しＳＩＰサーバ５０と情報のやりとりを実行して通信相手との接続を行う呼設定制御部３２と、インターネット１６側に接続可能な通信Ｉ／Ｆ３４と、Ｔ．３８データに含まれているＴ．３０データを抽出するＴ．３０データ変換部３６と、を備えている。このゲートウェイ装置２０では、ＬＡＮ１２側に接続される第１筐体２０ａとインターネット１６側に接続される第２筐体２０ｂとに分割されている。ＣＰＵ２２、ＲＯＭ２３、ＲＡＭ２４、ＬＡＮ−Ｉ／Ｆ２５及びＴ．３８データ変換部２６は、第１バス２８を介してそれぞれが接続されている。また、呼設定制御部３２、通信Ｉ／Ｆ３４及びＴ．３０データ変換部３６は、第２バス３８を介してそれぞれが接続されている。この第１筐体２０ａ側の第１バス２８と第２筐体２０ｂ側の第２バス３８とが接続ライン２１により接続されている。
【００１４】
ＦＡＸ装置４０は、各種制御を実行するＣＰＵ４２と、各種処理プログラムを記憶したＲＯＭ４３と、データを一時的に記憶するＲＡＭ４４と、記録紙に画像を印刷する印刷機構４５と、記録紙上の画像を読み取る読取機構４６と、ＬＡＮ１２と接続された図示しないネットワークインタフェース（Ｉ／Ｆ）と、ユーザが各種の指示を入力する操作パネル４７と、を備えている。このＣＰＵ４２は、図示しないバスによって情報のやり取りが可能なように印刷機構４５や読取機構４６などと接続されている。ＲＡＭ４４には、印刷機構４５に印刷させる画像データを一時的に記憶する印刷バッファや読取機構４６により読み取られた画像データを一時的に記憶するスキャナバッファ、ＦＡＸ通信に用いるデジタルデータ（以下ＦＡＸデータともいう）を一時的に記憶する通信用バッファなど複数の領域が設けられている。印刷機構４５は、単一感光体方式と中間転写方式とを採用したフルカラーの電子写真方式の印刷装置として構成されており、シアン（Ｃ）、マゼンタ（Ｍ）、イエロー（Ｙ）、ブラック（Ｋ）の４色に色分解された各色ごとの画像の静電潜像をトナー像として現像し、記録紙に転写し加熱溶着させるものである。読取機構４６は、ガラス面に載置された原稿である記録紙に向かって光を照射した後の反射光をラインイメージセンサによりレッド（Ｒ）、グリーン（Ｇ）、ブルー（Ｂ）の各色に分解してデジタルのスキャンデータ（画像データ）を生成する、いわゆるラインイメージセンサを走査して原稿を読み取るフラットベッド型のスキャナとして構成されている。操作パネル４７は、ユーザがＦＡＸ装置４０に対して各種の指示を入力するためのデバイスであり、各種の指示に応じた文字、図形及び記号が表示される液晶ディスプレイである表示部４７ａや、表示部４７ａに表示されたカーソルを移動するカーソルキーやＦＡＸの送信を実行させる送信キー、ＦＡＸ番号を入力するテンキーなどを含み各種操作を入力する操作部４７ｂが設けられている。
【００１５】
ＳＩＰサーバ５０は、電話番号管理サーバとしての機能を有しており、インターネット１６に直接又はＬＡＮ１２などを介して接続されている端末同士の通信接続を行うサーバであり、各種制御を実行するＣＰＵ５２と、各種制御プログラムを記憶するＲＯＭ５３と、データを一時記憶するＲＡＭ５４と、各種アプリケーションプログラムや各種データファイルを記憶する大容量メモリであるＨＤＤ５５と、ＬＡＮ１２に接続された外部機器との間で信号の送受信が可能なＩ／Ｆ５６とを備えている。このＣＰＵ５２は、図示しないバスによって情報のやり取りが可能なようにＨＤＤ５５やＩ／Ｆ５６などと接続されている。このＳＩＰサーバ５０は、インターネット１６を介してＦＡＸ装置４０，６０などとデータを送受信する際には、ＲＡＭ５４の所定領域に設けられた受信バッファ及び送信バッファを利用して行う。ＨＤＤ５５には、電話番号（ＦＡＸ番号）と端末のアドレスと端末の機能についての情報（例えば利用可能な通信方式など）を対応づけた送信先対応情報５５ａが記憶されている。ＳＩＰサーバ５０は、この送信先対応情報５５ａを利用し、図示しない他のＳＩＰサーバなどと情報のやりとりを行い送信先（例えばＦＡＸ装置６０）のアドレスを特定すると共に送信元（例えばＦＡＸ装置４０）と送信先との接続を実行する。
【００１６】
ＦＡＸ装置６０は、Ｔ．３８通信方式によりリアルタイムでＦＡＸデータの送受信を実行するＴ．３８ＦＡＸ装置として構成されている。このＦＡＸ装置６０は、図示しないネットワークインタフェース（Ｉ／Ｆ）によりインターネット１６と接続されている。なお、ＦＡＸ装置６０は、制御部としてのＣＰＵ，ＲＯＭ，ＲＡＭや印刷機構、読取機構の構成についてはＦＡＸ装置４０と同様であるため、その説明を省略する。
【００１７】
次に、こうして構成された本実施形態のＦＡＸシステム１０の動作について、まず、ユーザがＦＡＸデータを送信する動作について説明する。ここでは、ＦＡＸ装置４０からゲートウェイ装置２０を介してＦＡＸ装置６０へＦＡＸデータを送信する場合について説明する。まず、ユーザは、読取機構４６へ原稿をセットすると共に、操作パネル４７を操作して送信先であるＦＡＸ装置６０のＦＡＸ番号を入力すると共に、操作部４７ｂの送信ボタンを押下する。すると、ＦＡＸ装置４０のＣＰＵ４２は、ＦＡＸデータの送信指令と送信先のＦＡＸ番号とをゲートウェイ装置２０へ送信する。この送信と並行して、ＣＰＵ４２は、読取機構４６により光を原稿に照射すると共に原稿で反射した光をラインイメージセンサで読み取り出力されたアナログ信号からデジタルの画像データであるスキャンデータを生成し、このスキャンデータからＴ．３０データを生成する。これに続けて、この生成したＴ．３０データからＩＦＰパケットのフォーマットであるＴ．３８データを生成する処理を実行する。
【００１８】
図２は、ゲートウェイ装置２０のＣＰＵ２２により実行されるＦＡＸ送信処理ルーチンの一例を表すフローチャートである。このルーチンは、ＲＯＭ２３に記憶され、ゲートウェイ装置２０が起動したあと繰り返し実行される。このルーチンが実行されると、ＣＰＵ２２は、まず、ＦＡＸデータの送信指令がされたか否かを判定し（ステップＳ１００）、ＦＡＸデータの送信指令がなされていないときにはそのままこのルーチンを終了する。一方、ＦＡＸデータの送信指令がされたときには、ＣＰＵ２２は、呼設定処理を呼設定制御部３２に実行させる（ステップＳ１１０）。呼設定処理は、呼設定制御部３２に記憶されているＳＩＰサーバ５０のアドレスへＳＩＰパケットを送信し、送信先のＦＡＸ番号に対応するアドレス及び送信先のＦＡＸ装置の性能に関する情報、例えば利用可能な通信方式や通信速度などを受信する処理を行い、送信先と通信可能となるよう呼設定を行う。呼設定処理を実行すると、ＣＰＵ２２は、ＬＡＮ−Ｉ／Ｆ２５が送信用のＦＡＸデータとしてのＴ．３８データ（説明の便宜で「送信データ」ともいう）をＦＡＸ装置４０から受信したか否かを判定し（ステップＳ１２０）、送信データをＦＡＸ装置４０から受信していないときには、そのまま待機し、送信データをＦＡＸ装置４０から受信したときには、受信した送信データを、呼設定処理された送信先へ、通信Ｉ／Ｆ３４を介して、そのままパケット単位で送信出力処理を行う（ステップＳ１３０）。続いて、送信出力処理が完了したか否かを判定し（ステップＳ１４０）、送信出力処理が完了していないときには、送信出力処理を継続し、送信出力処理が完了したときには、このルーチンを終了する。このように、ゲートウェイ装置２０は、Ｔ．３８通信方式に対応するＦＡＸ装置へインターネット１６を介してＦＡＸデータを送信するときには、ＬＡＮ−Ｉ／Ｆ２５で受信（取得）したＴ．３８データを、通信Ｉ／Ｆ３４からそのまま送信先へ送信（出力）するのである。
【００１９】
次に、ＦＡＸデータを受信する動作について説明する。ここでは、ＦＡＸ装置６０からゲートウェイ装置２０を介して送信されたＦＡＸデータ（Ｔ．３８データ）をＦＡＸ装置４０が受信する場合について説明する。図３は、ゲートウェイ装置２０のＣＰＵ２２により実行されるＦＡＸ受信処理ルーチンの一例を表すフローチャートである。このルーチンは、ＲＯＭ２３に記憶され、ゲートウェイ装置２０が起動したあと繰り返し実行される。このルーチンが実行されると、ＣＰＵ２２は、まず、ＦＡＸデータであるＴ．３８データの受信指令を送信元（ここではＦＡＸ装置６０）から受信したか否かを判定し（ステップＳ２００）、Ｔ．３８データの受信指令を送信元から受信していないときには、ＣＰＵ２２は、そのままこのルーチンを終了する。一方、Ｔ．３８データの受信指令を送信元から受信したときには、ＣＰＵ２２は、呼設定処理を呼設定制御部３２に実行させる（ステップＳ２１０）。この呼設定処理は、送信元からの呼設定要求により、互いに対応する通信方式に合わせて呼設定制御部３２が接続処理を行うものとした。呼設定処理を行うと、ＣＰＵ２２は、通信Ｉ／Ｆ３４が受信用のＦＡＸデータとしてのＴ．３８データ（説明の便宜で「受信データ」ともいう）をＦＡＸ装置６０から通信Ｉ／Ｆ３４が受信したか否かを判定し（ステップＳ２２０）、受信データをＦＡＸ装置６０から通信Ｉ／Ｆ３４が受信していないときには、そのまま待機する。一方、受信データをＦＡＸ装置６０から通信Ｉ／Ｆ３４が受信したときには、受信したＴ．３８データに含まれるＴ．３０データをＴ．３０データ変換部３６に抽出させる（ステップＳ２３０）。次に、抽出したＴ．３０データを用いてＴ．３８データ変換部２６に、Ｔ．３８データを生成させる（ステップＳ２４０）。そして、生成したＴ．３８データを呼設定処理されているＦＡＸ装置４０へ、ＬＡＮ−Ｉ／Ｆ２５を介して、パケット単位で送信処理を行う（ステップＳ２５０）。続いて、送信処理が完了したか否かを判定し（ステップＳ２６０）、送信処理が完了していないときには、送信処理を継続し、送信処理が完了したときには、このルーチンを終了する。このように、ゲートウェイ装置２０は、ＬＡＮ１２側のＦＡＸ装置４０がインターネット１６を介してＦＡＸデータを受信するときには、通信Ｉ／Ｆ３４で受信したＴ．３８データからＴ．３０データを生成し、生成したＴ．３０データから再度Ｔ．３８データを生成し、生成したＴ．３８データをＦＡＸ装置４０へ送信するのである。
【００２０】
ここで、本実施形態の構成要素と本発明の構成要素との対応関係を明らかにする。本実施形態の通信Ｉ／Ｆ３４が本発明の受信手段及び出力手段に相当し、ＬＡＮ−Ｉ／Ｆ２５が送信手段及び取得手段に相当し、Ｔ．３０データ変換部３６が第１データ生成手段に相当し、Ｔ．３８データ変換部２６が第２データ生成手段に相当し、ＣＰＵ２２が制御手段に相当し、Ｔ．３０データがファクシミリデータに相当し、Ｔ．３８データが通信用データに相当し、ＦＡＸ装置６０がリアルタイム通信方式のファクシミリ装置に相当する。なお、本実施形態では、ゲートウェイ装置２０の動作を説明することにより本発明のゲートウェイ装置の制御方法の一例も明らかにしている。
【００２１】
以上詳述した本実施形態のゲートウェイ装置２０によれば、通信用データとしてのＴ．３８データをインターネット１６を介して通信Ｉ／Ｆ３４が受信したときには、この受信したＴ．３８データから画像ファイルとしてのＴ．３０データをＴ．３０データ変換部３６が生成すると共に、この生成したＴ．３０データからＴ．３８データをＴ．３８データ変換部２６が生成し、この生成したＴ．３８データをパケット単位でＬＡＮ１２を介してＦＡＸ装置４０へ送信する。このように、外部から受信したＴ．３８データを一旦Ｔ．３０データに変換したのち、更にＴ．３８データに変換し、この変換したＴ．３８データをファクシミリ装置へ送信するのである。したがって、不要なデータをＦＡＸ装置４０へ送信することを防止することができる。このため、インターネット１６を介して外部からＦＡＸデータを受信する際に、不要なデータ、例えば不正な情報が添付されているデータなどをＦＡＸ装置４０へ送信することを防止することができ、ＦＡＸ装置４０側のセキュリティを高めることができる。また、ＦＡＸ装置４０からＬＡＮ−Ｉ／Ｆ２５がＴ．３８データを取得したときには、この取得したＴ．３８データをＴ．３８データ変換部２６及びＴ．３０データ変換部３６を介さずに送信先へ送信出力させるため、ＦＡＸ装置４０からインターネット１６を介してＴ．３８データを送信先へ出力する際には、データの生成などを行わずに、より迅速にＴ．３０データを送信先へ出力することができる。更に、Ｔ．３８方式のデジタルデータは、パケットにより送信先とのデータのやり取りを実行するリアルタイム通信方式として多く利用されており、Ｔ．３０方式のデジタルデータは、Ｔ．３０データとして多く利用されているため、これらを本発明に適用する意義が高い。更にまた、ゲートウェイ装置２０が、第１筐体２０ａがＬＡＮ１２側で、第２筐体２０ｂがインターネット１６側と分かれているため、ケーブルの接続先が比較的わかりやすい。
【００２２】
なお、本発明は上述した実施形態に何ら限定されることはなく、本発明の技術的範囲に属する限り種々の態様で実施し得ることはいうまでもない。
【００２３】
例えば、上述した実施形態では、ＦＡＸ装置４０からＬＡＮ−Ｉ／Ｆ２５、通信Ｉ／Ｆ３４を介してＦＡＸ装置６０へＦＡＸデータを送信する際には、Ｔ．３８データ変換部２６及びＴ．３０データ変換部３６を介さないものとしたが、これらを介するものとしＦＡＸ装置４０から受信したＴ．３８データからＴ．３０データを抽出し、このＴ．３０データからＴ．３８データを生成して、生成したＴ．３８データのパケットを通信Ｉ／Ｆ３４から送信出力するものとしてもよい。こうすれば、不要なデータを外部に出力することを防止することができる。
【００２４】
上述した実施形態では、受信データをパケット単位でＦＡＸ装置６０から受信しているときにＴ．３０データの抽出、Ｔ．３８データの生成処理を行うものとしたが、受信データをＲＡＭ２４に格納しながらすべて受信し、ＲＡＭ２４に格納された全体の受信データからＴ．３０データ変換部３６がＴ．３０データを抽出し、更にＴ．３８データ変換部２６がＴ．３８データに変換しＬＡＮ−Ｉ／Ｆ２５からパケット単位でＦＡＸ装置４０へ送信するものとしてもよい。こうしても、不要なデータをＦＡＸ装置４０へ送信することを防止することができる。
【００２５】
上述した実施形態では、ＬＡＮ−Ｉ／Ｆ２５にＬＡＮ１２が接続されているものとしたが、ＬＡＮ−Ｉ／Ｆ２５へローカルにＦＡＸ装置４０を接続するものとしてもよい。こうしても、不要なデータをＦＡＸ装置４０へ送信することを防止することができる。
【００２６】
ゲートウェイ装置２０は、第１筐体２０ａと第２筐体２０ｂとに分かれているものとしたが、一体で形成されていても構わない。
【００２７】
上述した実施形態では、通信用データとして、Ｔ．３８データを用いるものとしたが、パケットにより送信先とのデータのやり取りを実行するリアルタイム通信方式のデータであれば、特に限定されずに本発明を適用することができる。また、ＦＡＸデータとして、Ｔ．３０データを用いるものとしたが、ＦＡＸ用の画像データであればどのようなものを用いても構わない。
【００２８】
上述した実施形態では、ゲートウェイ装置２０とＦＡＸ装置４０とが別体であるものとしたが、ゲートウェイ装置２０を搭載したＦＡＸ装置４０としても構わない。
【００２９】
上述した実施形態では、印刷機構４５は、単一感光体方式と中間転写方式とを採用したフルカラーの電子写真方式を採用するものとしたが、プリントヘッド内に設けられた圧電素子又はヒータによりインクカートリッジ内のインクを加圧して記録紙に向かって吐出するインクジェット方式を採用してもよい。また、読取機構４６は、ラインイメージセンサを走査して原稿を読み取るフラットベッド型のスキャナとしたが、ラインイメージセンサを固定し原稿を搬送してこの原稿上に形成された画像を読み取るタイプのスキャナとしてもよい。
【図面の簡単な説明】
【００３０】
【図１】ＦＡＸシステム１０の構成の概略を示す構成図である。
【図２】ＦＡＸ送信処理ルーチンの一例を表すフローチャートである。
【図３】ＦＡＸ受信処理ルーチンの一例を表すフローチャートである。
【符号の説明】
【００３１】
１０  ＦＡＸシステム、１２  ＬＡＮ、１６  インターネット、２０  ゲートウェイ装置、２０ａ  第１筐体、２０ｂ  第２筐体、２１  接続ライン、２２  ＣＰＵ、２３  ＲＯＭ、２４  ＲＡＭ、２５  ＬＡＮ−インタフェース（Ｉ／Ｆ）、２６  Ｔ．３８データ変換部、２８  第１バス、３２  呼設定制御部、３４  通信インタフェース（Ｉ／Ｆ）、３６  Ｔ．３０データ変換部、３８  第２バス、４０  ＦＡＸ装置、４２  ＣＰＵ、４３  ＲＯＭ、４４  ＲＡＭ、４５  印刷機構、４６  読取機構、４７  操作パネル、４７ａ  表示部、４７ｂ  操作部、４８  ユーザパソコン（ＰＣ）、４９  プリンタ、５０  ＳＩＰサーバ、５２  ＣＰＵ、５３  ＲＯＭ、５４  ＲＡＭ、５５  ＨＤＤ、５５ａ  送信先対応情報、５６  ネットワークインタフェース（Ｉ／Ｆ）、６０  ＦＡＸ装置。
【図１】
2008288929.tif 000003
【図２】
2008288929.tif 000004
【図３】
2008288929.tif 000005